(57)【要約】【課題】気象条件によっては作業が不適切な作業日を回避できるＧＡＰ作業支援方法を提供すること。【解決手段】栽培計画データベース１２と、作業指示データベース１５と、資源データベース１１とを有し、サーバーが、作業指示情報を作成する際には、作業日についての気象予報情報を取り込む気象予報情報取込ステップと、気象予報情報取込ステップで取り込まれた気象予報情報と、資源データベース１１に登録された作業適否情報とから、作業日が栽培商品の栽培における作業に適しているかを判断する作業適否判断ステップと、作業日が作業に適していないとの判断結果を出力する作業適否出力ステップとを有することを特徴とする。【選択図】        図１
2019125302.tif 000002
【特許請求の範囲】
【請求項１】
作業者、前記作業者が栽培する栽培商品、前記栽培商品の栽培における作業を表す作業名、前記作業名における前記作業を行う作業日、及び前記栽培商品を栽培する圃場情報を登録する栽培計画データベースと、
前記栽培計画データベースに登録された栽培計画情報を基に作成される作業指示情報を登録する作業指示データベースと、
前記栽培商品の前記栽培における前記作業について、天候条件による作業適否情報を登録する資源データベースと
を有し、
サーバーが、
前記作業指示情報を作成する際には、
前記作業日についての気象予報情報を取り込む気象予報情報取込ステップと、
前記気象予報情報取込ステップで取り込まれた前記気象予報情報と、前記資源データベースに登録された前記作業適否情報とから、前記作業日が前記栽培商品の前記栽培における前記作業に適しているかを判断する作業適否判断ステップと、
前記作業日が前記作業に適していないとの判断結果を出力する作業適否出力ステップと
を有する
ことを特徴とするＧＡＰ作業支援方法。
【請求項２】
前記気象予報情報取込ステップでは、
前記作業日を含む所定日数の前記気象予報情報を取り込み、
前記作業適否判断ステップでは、
前記作業日が前記作業に適していないと判断すると、前記気象予報情報から前記作業日とは異なる作業候補日を抽出し、
前記作業適否出力ステップでは、
抽出した前記作業候補日を出力する
ことを特徴とする請求項１に記載のＧＡＰ作業支援方法。
【請求項３】
前記作業適否判断ステップでは、
複数の前記栽培商品について、それぞれの前記作業日が前記栽培商品の前記栽培における前記作業に適しているかを判断し、
少なくとも一つの前記作業日が前記作業に適していないと判断すると、他の栽培商品についての作業日を含めてそれぞれの前記作業候補日を決定し、
前記出力ステップでは、
決定したそれぞれの前記作業候補日を出力する
ことを特徴とする請求項２に記載のＧＡＰ作業支援方法。
【請求項４】
前記前記資源データベースには、
保有する農機具の使用条件情報が登録され、
前記サーバーが、
前記作業指示情報を作成する際には、
前記資源データベースに登録された前記使用条件情報から、前記作業日に前記農機具を使用できるかを判断する農機具使用判断ステップと、
前記作業日が前記農機具を使用できないとの判断結果を出力する農機具使用出力ステップと
を有する
ことを特徴とする請求項１から請求項３のいずれか１項に記載のＧＡＰ作業支援方法。
【請求項５】
前記資源データベースには、
行える前記作業又は農機具操作資格とともに作業要員の作業要員情報が登録され、
前記サーバーが、
前記作業指示情報を作成する際には、
前記資源データベースに登録された前記作業要員情報から、前記作業日に前記作業要員を配置できるかを判断する作業要員配置判断ステップと、
前記作業日が前記作業要員を配置できないとの判断結果を出力する作業要員配置出力ステップと
を有する
ことを特徴とする請求項１から請求項４のいずれか１項に記載のＧＡＰ作業支援方法。
【請求項６】
前記サーバーが、
前記栽培計画情報を登録する際に、
前記栽培商品の商品名の選択を促す栽培商品選択ステップと、
前記栽培商品選択ステップで選択した前記商品名の前記栽培商品について、登録済みの過去の栽培履歴の中から一つの前記栽培履歴の選択を促す栽培履歴選択ステップと、
前記栽培履歴選択ステップで選択された登録済みの前記栽培履歴の前記作業名を表示し、新たな前記栽培履歴の入力を促す栽培履歴入力ステップと、
前記栽培履歴入力ステップで入力された前記栽培商品に関する新たな前記栽培履歴を登録する栽培履歴登録ステップと
を有する
ことを特徴とする請求項１から請求項５のいずれか１項に記載のＧＡＰ作業支援方法。
【請求項７】
前記栽培商品選択ステップでは、
前記栽培者が過去に登録した前記栽培履歴の情報を栽培履歴データベースから抽出する栽培履歴情報抽出ステップと、
前記栽培履歴情報抽出ステップで抽出された前記栽培履歴から、前記栽培履歴の登録がある前記商品名を抽出する商品名抽出ステップと、
前記栽培履歴の登録がある前記商品名別に栽培回数を算出する栽培回数算出ステップと、
前記商品名抽出ステップで抽出された前記商品名を、前記栽培回数算出ステップで算出された前記栽培回数が多い順に一覧表示として出力する商品名表示ステップと
を有する
ことを特徴とする請求項６に記載のＧＡＰ作業支援方法。
【請求項８】
前記サーバーが、
前記栽培商品選択ステップで選択された前記栽培商品について、前記栽培商品に使用する栽培基準の選択を促す栽培基準選択ステップを有し、
前記栽培履歴選択ステップでは、前記栽培基準選択ステップで選択された前記栽培基準についての前記栽培履歴の選択を促す
ことを特徴とする請求項６又は請求項７に記載のＧＡＰ作業支援方法。
【発明の詳細な説明】
【技術分野】
【０００１】
本発明は、ＧＡＰ取得を支援するＧＡＰ作業支援方法に関する。
【背景技術】
【０００２】
ＧＡＰ（Ｇｏｏｄ  Ａｇｒｉｃｕｌｔｕｒａｌ  Ｐｒａｃｔｉｃｅ）が注目され、ＧＡＰ資格取得が推奨されているが、ＧＡＰ取得には、生産者にとって管理作業量が膨大となってしまう。
特許文献１は、作業現場で容易に入力可能であり、生産履歴を正確に記録できる農業生産工程管理システムを提案している。
特許文献１による農業生産工程管理システムは、農業生産工程管理手段と、記憶手段と、作業記録手段とを有し、記憶手段には、農業生産工程管理情報を含み、農業生産工程管理手段は、農業生産工程管理情報に基づき作業チェックリストを生成し、作業記録手段により、作業チェックリストに作業履歴を記録し、作業記録手段が、ＩＣタグ読取手段および音声入力手段の少なくとも一方を含むものである。
【先行技術文献】
【特許文献】
【０００３】
【特許文献１】特開２０１１−８６２０８号公報
【発明の開示】
【発明が解決しようとする課題】
【０００４】
特許文献１によれば、作業履歴の入力手段として、ＩＣタグ読取手段および音声入力手段のいずれかまたは双方を使用するため、例えば、作業現場でのチェック項目も容易に入力可能であり、ＧＡＰの作業履歴を正確かつ容易に記録することができる。
しかし、特許文献１では、ＧＡＰ規定に反する作業が行われることを未然に防止するためには、作業者自身か第三者によるチェックが必要である。
特に、農作業は気象条件に左右され、気象条件によって農作業がＧＡＰ規定に反してしまうことがある。
【０００５】
本発明は、気象条件によっては作業が不適切な作業日を回避できるＧＡＰ作業支援方法を提供することを目的とする。
【課題を解決するための手段】
【０００６】
請求項１記載の本発明のＧＡＰ作業支援方法は、作業者、前記作業者が栽培する栽培商品、前記栽培商品の栽培における作業を表す作業名、前記作業名における前記作業を行う作業日、及び前記栽培商品を栽培する圃場情報を登録する栽培計画データベース１２と、前記栽培計画データベース１２に登録された栽培計画情報２２を基に作成される作業指示情報を登録する作業指示データベース１５と、前記栽培商品の前記栽培における前記作業について、天候条件による作業適否情報を登録する資源データベース１１とを有し、サーバーが、前記作業指示情報を作成する際には、前記作業日についての気象予報情報を取り込む気象予報情報取込ステップと、前記気象予報情報取込ステップで取り込まれた前記気象予報情報と、前記資源データベース１１に登録された前記作業適否情報とから、前記作業日が前記栽培商品の前記栽培における前記作業に適しているかを判断する作業適否判断ステップと、前記作業日が前記作業に適していないとの判断結果を出力する作業適否出力ステップとを有することを特徴とする。
請求項２記載の本発明は、請求項１に記載のＧＡＰ作業支援方法において、前記気象予報情報取込ステップでは、前記作業日を含む所定日数の前記気象予報情報を取り込み、前記作業適否判断ステップでは、前記作業日が前記作業に適していないと判断すると、前記気象予報情報から前記作業日とは異なる作業候補日を抽出し、前記作業適否出力ステップでは、抽出した前記作業候補日を出力することを特徴とする。
請求項３記載の本発明は、請求項２に記載のＧＡＰ作業支援方法において、前記作業適否判断ステップでは、複数の前記栽培商品について、それぞれの前記作業日が前記栽培商品の前記栽培における前記作業に適しているかを判断し、少なくとも一つの前記作業日が前記作業に適していないと判断すると、他の栽培商品についての作業日を含めてそれぞれの前記作業候補日を決定し、前記作業適否出力ステップでは、決定したそれぞれの前記作業候補日を出力することを特徴とする。
請求項４記載の本発明は、請求項１から請求項３のいずれか１項に記載のＧＡＰ作業支援方法において、前記前記資源データベース１１には、保有する農機具の使用条件情報が登録され、前記サーバーが、前記作業指示情報を作成する際には、前記資源データベース１１に登録された前記使用条件情報から、前記作業日に前記農機具を使用できるかを判断する農機具使用判断ステップと、前記作業日が前記農機具を使用できないとの判断結果を出力する農機具使用出力ステップとを有することを特徴とする。
請求項５記載の本発明は、請求項１から請求項４のいずれか１項に記載のＧＡＰ作業支援方法において、前記資源データベース１１には、行える前記作業又は農機具操作資格とともに作業要員の作業要員情報が登録され、前記サーバーが、前記作業指示情報を作成する際には、前記資源データベース１１に登録された前記作業要員情報から、前記作業日に前記作業要員を配置できるかを判断する作業要員配置判断ステップと、前記作業日が前記作業要員を配置できないとの判断結果を出力する作業要員配置出力ステップとを有することを特徴とする。
請求項６記載の本発明は、請求項１から請求項５のいずれか１項に記載のＧＡＰ作業支援方法において、前記サーバーが、前記栽培計画情報２２を登録する際に、前記栽培商品の商品名の選択を促す栽培商品選択ステップ３０と、前記栽培商品選択ステップ３０で選択した前記商品名の前記栽培商品について、登録済みの過去の栽培履歴の中から一つの前記栽培履歴の選択を促す栽培履歴選択ステップ５０と、前記栽培履歴選択ステップ５０で選択された登録済みの前記栽培履歴の前記作業名を表示し、新たな前記栽培履歴の入力を促す栽培履歴入力ステップ６０と、前記栽培履歴入力ステップ６０で入力された前記栽培商品に関する新たな前記栽培履歴を登録する栽培履歴登録ステップ７０とを有することを特徴とする。
請求項７記載の本発明は、請求項６に記載のＧＡＰ作業支援方法において、前記栽培商品選択ステップ３０では、前記栽培者が過去に登録した前記栽培履歴の情報を栽培履歴データベースから抽出する栽培履歴情報抽出ステップ３１と、前記栽培履歴情報抽出ステップ３１で抽出された前記栽培履歴から、前記栽培履歴の登録がある前記商品名を抽出する商品名抽出ステップ３２と、前記栽培履歴の登録がある前記商品名別に栽培回数を算出する栽培回数算出ステップ３３と、前記商品名抽出ステップ３２で抽出された前記商品名を、前記栽培回数算出ステップ３３で算出された前記栽培回数が多い順に一覧表示として出力する商品名表示ステップ３４とを有することを特徴とする。
請求項８記載の本発明は、請求項６又は請求項７に記載のＧＡＰ作業支援方法において、前記サーバーが、前記栽培商品選択ステップ３０で選択された前記栽培商品について、前記栽培商品に使用する栽培基準の選択を促す栽培基準選択ステップ４０を有し、前記栽培履歴選択ステップ５０では、前記栽培基準選択ステップ４０で選択された前記栽培基準についての前記栽培履歴の選択を促すことを特徴とする。
【発明の効果】
【０００７】
本発明によれば、作業に適さない作業日を、気象予報情報を基に出力することで、気象条件によっては作業が不適切な作業日を回避できるため、ＧＡＰ規定に反する作業が行われることを未然に防止できる。
【図面の簡単な説明】
【０００８】
【図１】本発明の一実施例によるＧＡＰ作業支援方法の処理流れを示す概念図
【図２】本実施例によるＧＡＰ作業支援方法の栽培計画ステップで用いる栽培計画初期画面イメージ図
【図３】図２の栽培計画初期画面で新規登録を選択する場合を示す画面イメージ図
【図４】図３で登録された品目の栽培商品について作業スケジュールの作成状態を示す画面イメージ図
【図５】過去の栽培履歴を用いる場合のフローチャート
【図６】作成された年間作業スケジュールを示す画面イメージ図
【図７】作成された月間作業スケジュールを示す画面イメージ図
【図８】年間作業スケジュールから作業指示を行う場合を示す画面イメージ図
【図９】月間作業スケジュールから作業指示を行う場合を示す画面イメージ図
【図１０】作業指示情報をサーバーが変更する場合を示す説明図
【図１１】作業指示ステップで出力される作業指示書のイメージ図
【図１２】実作業登録ステップで入力に用いられる画面イメージ図
【図１３】作業登録ステップで登録された作業実施内容の確認に用いられる画面イメージ図
【図１４】作業登録ステップで登録された作業実施内容の確認に用いられる画面イメージ図
【図１５】ＧＡＰ作業チェックステップで用いられる画面イメージ図
【図１６】ＧＡＰ作業チェックステップで用いられる画面イメージ図
【図１７】ＧＡＰ作業チェックステップで用いられる画面イメージ図
【発明を実施するための形態】
【０００９】
本発明の第１の実施の形態によるＧＡＰ作業支援方法は、サーバーが、作業指示情報を作成する際には、作業日についての気象予報情報を取り込む気象予報情報取込ステップと、気象予報情報取込ステップで取り込まれた気象予報情報と、資源データベースに登録された作業適否情報とから、作業日が栽培商品の栽培における作業に適しているかを判断する作業適否判断ステップと、作業日が作業に適していないとの判断結果を出力する作業適否出力ステップとを有するものである。本実施の形態によれば、作業に適さない作業日を、気象予報情報を基に出力することで、気象条件によっては作業が不適切な作業日を回避できるため、ＧＡＰ規定に反する作業が行われることを未然に防止できる。
【００１０】
本発明の第２の実施の形態は、第１の実施の形態によるＧＡＰ作業支援方法において、気象予報情報取込ステップでは、作業日を含む所定日数の気象予報情報を取り込み、作業適否判断ステップでは、作業日が作業に適していないと判断すると、気象予報情報から作業日とは異なる作業候補日を抽出し、作業適否出力ステップでは、抽出した作業候補日を出力するものである。本実施の形態によれば、作業の変更日を決めやすい。
【００１１】
本発明の第３の実施の形態は、第２の実施の形態によるＧＡＰ作業支援方法において、作業適否判断ステップでは、複数の栽培商品について、それぞれの作業日が栽培商品の栽培における作業に適しているかを判断し、少なくとも一つの作業日が作業に適していないと判断すると、他の栽培商品についての作業日を含めてそれぞれの作業候補日を決定し、出力ステップでは、決定したそれぞれの作業候補日を出力するものである。本実施の形態によれば、多くの中小規模における農業生産現場では、複数の栽培商品を栽培することが常であることから、作業の変更日を決定する上で極めて効果的である。
【００１２】
本発明の第４の実施の形態は、第１から第３のいずれかの実施の形態によるＧＡＰ作業支援方法において、資源データベースには、保有する農機具の使用条件情報が登録され、サーバーが、作業指示情報を作成する際には、資源データベースに登録された使用条件情報から、作業日に農機具を使用できるかを判断する農機具使用判断ステップと、作業日が農機具を使用できないとの判断結果を出力する農機具使用出力ステップとを有するものである。本実施の形態によれば、農機具の使用条件によっては作業が不適切な作業日を回避できるため、ＧＡＰ規定に従った作業を行いやすい。
【００１３】
本発明の第５の実施の形態は、第１から第４のいずれかの実施の形態によるＧＡＰ作業支援方法において、資源データベースには、行える作業又は農機具操作資格とともに作業要員の作業要員情報が登録され、サーバーが、作業指示情報を作成する際には、資源データベースに登録された作業要員情報から、作業日に作業要員を配置できるかを判断する作業要員配置判断ステップと、作業日が作業要員を配置できないとの判断結果を出力する作業要員配置出力ステップとを有するものである。本実施の形態によれば、的確な作業要員を配置できるため、ＧＡＰ規定に従った作業を確実に行うことができる。
【００１４】
本発明の第６の実施の形態は、第１から第５のいずれかの実施の形態によるＧＡＰ作業支援方法において、サーバーが、栽培計画情報を登録する際に、栽培商品の商品名の選択を促す栽培商品選択ステップと、栽培商品選択ステップで選択した商品名の栽培商品について、登録済みの過去の栽培履歴の中から一つの栽培履歴の選択を促す栽培履歴選択ステップと、栽培履歴選択ステップで選択された登録済みの栽培履歴の作業名を表示し、新たな栽培履歴の入力を促す栽培履歴入力ステップと、栽培履歴入力ステップで入力された栽培商品に関する新たな栽培履歴を登録する栽培履歴登録ステップとを有するものである。本実施の形態によれば、登録済みの過去の栽培履歴を利用して新たな栽培履歴を入力できるため、栽培履歴の登録作業を簡素化できる。
【００１５】
本発明の第７の実施の形態は、第６の実施の形態によるＧＡＰ作業支援方法において、栽培商品選択ステップでは、栽培者が過去に登録した栽培履歴の情報を栽培履歴データベースから抽出する栽培履歴情報抽出ステップと、栽培履歴情報抽出ステップで抽出された栽培履歴から、栽培履歴の登録がある商品名を抽出する商品名抽出ステップと、栽培履歴の登録がある商品名別に栽培回数を算出する栽培回数算出ステップと、商品名抽出ステップで抽出された商品名を、栽培回数算出ステップで算出された栽培回数が多い順に一覧表示として出力する商品名表示ステップとを有するものである。本実施の形態によれば、出荷者自らが登録している栽培履歴情報を利用できるので更に栽培履歴の登録作業が簡素化でき、また栽培回数が多い順に商品名が表示されるため、必要とする栽培履歴を抽出しやすい。
【００１６】
本発明の第８の実施の形態は、第６又は第７の実施の形態によるＧＡＰ作業支援方法において、サーバーが、栽培商品選択ステップで選択された栽培商品について、栽培商品に使用する栽培基準の選択を促す栽培基準選択ステップを有し、栽培履歴選択ステップでは、栽培基準選択ステップで選択された栽培基準についての栽培履歴の選択を促すものである。本実施の形態によれば、同じ商品でも、例えば露地栽培と施設栽培のように栽培基準が複数存在する場合に、最適な栽培履歴を選択できる。
【実施例】
【００１７】
以下本発明の一実施例によるＧＡＰ作業支援方法について説明する。
図１は本実施例によるＧＡＰ作業支援方法の処理流れを示す概念図である。
本実施例によるＧＡＰ作業支援方法は、栽培計画ステップ１（Ｓ１）、作業指示ステップ２（Ｓ２）、実作業登録ステップ３（Ｓ３）、及びＧＡＰ作業チェックステップ４（Ｓ４）からなる。
栽培計画ステップ１、作業指示ステップ２、及び実作業登録ステップ３は、生産者である作業者の日々の管理作業を支援し、ＧＡＰ取得を簡単化するものである。
ＧＡＰ作業チェックステップ４は、営農指導者の営農指導や、監査者、ＧＡＰ評価者、又は作業者自身のＧＡＰ規定項目と実施状況との確認作業を支援するものである。
【００１８】
栽培計画ステップ１では、サーバーは、資源データベース１１、栽培計画データベース１２、及びＧＡＰ規定データベース１３に登録されている情報を用いて、作業者が新たな栽培計画を策定する作業を支援する。栽培計画は、圃場別、栽培商品の品目別に作成され、作業工程、作業時期、収穫量、及び農薬や肥料の使用計画が登録される。
資源データベース１１には、使用できる圃場の圃場条件情報、保有する農機具の使用条件情報、行える作業又は農機具操作資格とともに作業要員の作業要員情報、保有する農薬の農薬条件情報、使用できる水源の水源条件情報、及び栽培商品の栽培における作業について、天候条件による作業適否情報などの資源情報が登録されている。
農薬条件情報は、農薬の使用基準、農薬の散布液量、及び農薬の希釈倍数／使用量に関する情報である。
栽培計画データベース１２には、作業者、作業者が栽培する栽培商品、栽培商品の栽培における作業を表す作業名、作業名における作業を行う作業日、及び栽培商品を栽培する圃場情報など、過去の栽培計画情報が登録されている。
ＧＡＰ規定データベース１３には、ＧＡＰ分類やＧＡＰ作業基準で規定されている確認項目が登録されている。
栽培計画ステップ１で策定された新たな栽培計画は、栽培計画データベース１２に登録される。
【００１９】
作業指示ステップ２では、サーバーは、資源データベース１１、栽培計画データベース１２、ＧＡＰ規定データベース１３、及び気象予報情報データベース１４に登録されている情報を用いて、作業指示書を作成して作業者に提供する。作業指示書は、明日を作業日として含む所定日数の作業について、資源情報や気象予報情報を基に適否を判断して出力される。
【００２０】
作業指示ステップ２で作成される作業指示書の作業指示情報は、作業指示データベース１５に登録される。
実作業登録ステップ３では、作業指示データベース１５に登録されている作業指示情報に基づいて行われた実作業情報を、作業日報データベース１６に登録する。登録された実作業情報は、日報管理、農薬や肥料散布管理、及び栽培関連作業や資源の変更管理に用いられる。
ＧＡＰ作業チェックステップ４では、栽培計画データベース１２に登録されている栽培計画情報、作業指示データベース１５に登録されている作業指示情報、作業日報データベース１６に登録されている実作業情報をチェックする。
【００２１】
図２は本実施例によるＧＡＰ作業支援方法の栽培計画ステップで用いる栽培計画初期画面イメージ図、図３は図２の栽培計画初期画面で新規登録を選択する場合を示す画面イメージ図、図４は図３で登録された品目の栽培商品について作業スケジュールの作成状態を示す画面イメージ図、図５は過去の栽培履歴を用いる場合のフローチャート、図６は作成された年間作業スケジュールを示す画面イメージ図、図７は作成された月間作業スケジュールを示す画面イメージ図である。
【００２２】
栽培計画では、圃場別及び品目別に、作業工程と、その作業時期、計画する収穫量、及び圃場に散布する農薬や肥料の使用計画を作成する。また、栽培計画を遂行する際の資源として、圃場、作業要員、農機具、水源、及び農薬や肥料を管理する。
図２において、検索２１を指示することで、過去の栽培計画を栽培履歴の情報として栽培計画データベース１２から抽出する。図２では、過去の栽培計画情報２２が、圃場別、栽培商品別に表示されている。表示されている過去の栽培計画情報２２については、栽培商品単位で計画コピー２３を指示することで栽培計画に利用できる。また、コピーした栽培計画情報２２については、作業日などの一部の情報を変更、削除、追加することもできる。また、コピーした過去の栽培計画情報２２、又は新規に作成する栽培計画情報２２については、栽培商品単位でＧＡＰチェック２４を指示することで、ＧＡＰ規定に適しているかをチェックできる。
図２において、新規登録２５を指示することで、新規の栽培商品についての基本情報を作成できる。
【００２３】
図３に示すように、例えば、商品欄の参照２６を指示することで商品検索画面２７を用いて商品検索を、圃場住所の参照２８を指示することで圃場検索画面２９を用いて圃場検索を行うことができ、新規の栽培商品についての基本情報を作成できる。
基本情報を作成した後には、図４に示すように、栽培商品の栽培における作業を表す作業名と、それぞれの作業名における作業を行う作業日とを入力する。
【００２４】
なお、新規の栽培商品を登録する際にも、過去の栽培履歴を用いることができる。
図５は、過去の栽培履歴を用いる場合のフローチャートを示す。
図３における商品欄の参照２６を指示することで、過去の栽培履歴を利用できる。
サーバーは、栽培計画情報２２を登録する際には、栽培商品の商品名の選択を促す栽培商品選択ステップ３０（Ｓ３０）と、栽培基準選択ステップ４０（Ｓ４０）と、栽培商品選択ステップ３０で選択した商品名の栽培商品について、登録済みの過去の栽培履歴の中から一つの栽培履歴の選択を促す栽培履歴選択ステップ５０（Ｓ５０）と、栽培履歴選択ステップ５０で選択された登録済みの栽培履歴の作業名を表示し、新たな栽培履歴の入力を促す栽培履歴入力ステップ６０と、栽培履歴入力ステップ６０（Ｓ６０）で入力された栽培商品に関する新たな栽培履歴を登録する栽培履歴登録ステップ７０（Ｓ７０）とを有する。
【００２５】
商品選択ステップ３０では、栽培履歴情報抽出ステップ３１（Ｓ３１）と、商品名抽出ステップ３２（Ｓ３２）と、栽培回数算出ステップ３３（Ｓ３３）と、商品名表示ステップ３４（Ｓ３４）とを有する。
栽培履歴情報抽出ステップ３１では、作業者が過去に登録した栽培履歴の情報を栽培計画データベース１２から抽出する。
商品名抽出ステップ３２では、栽培履歴情報抽出ステップ３１で抽出された栽培履歴から、栽培履歴の登録がある商品名を抽出する。
栽培回数算出ステップ３３は、栽培履歴の登録がある商品名別に栽培回数を算出する。
商品名表示ステップ３４では、商品名抽出ステップ３２で抽出された商品名を、栽培回数算出ステップ３３で算出された栽培回数が多い順に一覧表示として出力する。
従って、図３に示す商品検索画面２７では、栽培回数が多い順に一覧表示される。
このように、作業者自らが登録している栽培履歴情報を利用できることで、更に栽培履歴の登録作業が簡素化でき、また栽培回数が多い順に商品名が表示されるため、必要とする栽培履歴を抽出しやすい。
【００２６】
図５で示す栽培基準選択ステップ４０は、商品選択ステップ３０の結果表示される商品選択画面（図３に示す商品検索画面２７）でいずれかの商品が選択された場合に行われる。
栽培基準選択ステップ４０では、商品選択ステップ３０で選択された商品について複数の栽培基準が有るか否かを判断する判断ステップ４１（Ｓ４１）と、判断ステップ４１で複数の栽培基準がある場合には、栽培基準を一覧表示として出力する栽培基準表示ステップ４２（Ｓ４２）とを有し、同じ栽培商品でも、例えば露地栽培と施設栽培のように栽培基準が複数存在する場合に、最適な栽培履歴を選択できる。
【００２７】
図５で示す栽培履歴選択ステップ５０は、商品選択ステップ３０の結果表示される商品選択画面（図３に示す商品検索画面２７）で商品が選択された場合、判断ステップ４１で複数の栽培基準があれば、栽培基準選択ステップ４０の結果表示される栽培基準選択画面で栽培基準が選択された場合に行われる。
栽培履歴選択ステップ５０では、商品選択ステップ３０で選択された商品についての栽培履歴の情報を、栽培履歴情報抽出ステップ３１で抽出された栽培履歴から抽出し（特定商品栽培履歴情報抽出ステップ５１（Ｓ５１））、特定商品栽培履歴情報抽出ステップ５１で抽出した栽培履歴を一覧表示として出力し（栽培履歴表示ステップ５２（Ｓ５２））、商品選択ステップ３０で選択した商品名の商品について、登録済みの過去の栽培履歴の中から一つの栽培履歴の選択を促す（選択ステップ５３（Ｓ５３））。
【００２８】
作成された栽培計画は、図６に示すように年間作業スケジュールとして、又は図７に示すように月間作業スケジュールとして出力することができる。
【００２９】
図６に示す年間作業スケジュール、又は図７に示す月間作業スケジュールを用いて作業指示を行うことができる。
図８は年間作業スケジュールから作業指示を行う場合を示す画面イメージ図、図９は月間作業スケジュールから作業指示を行う場合を示す画面イメージ図である。
図８に示す年間作業スケジュール画面８０おいて、作業指示８１と特定の作業名（防除）８２とを指示することで、指示した防除８２に関する作業指示情報画面８３が出力され、作業指示情報画面８３で表示される指示内容については、参照８４を指示することで、更に詳細な情報を表示することができる。例えば、農薬については、農薬適用情報画面８５によって、使用時期、使用方法、希釈倍率、散布液量、及び最大使用回数を参照することができる。
図９に示す月間作業スケジュール画面８６おいて、作業指示８１と特定の作業日８７とを指示することで、指示した防除８２に関する作業指示情報画面８３が出力され、作業指示情報画面８３で表示される指示内容については、参照８４を指示することで、更に詳細な情報を表示することができる。例えば、農薬については、農薬適用情報画面８５によって、使用時期、使用方法、希釈倍率、散布液量、及び最大使用回数を参照することができる。
【００３０】
図１０は、作業指示情報をサーバーが変更する場合を示す説明図である。
サーバーは、作業指示情報を作成する際には、作業日についての気象予報情報を取り込む気象予報情報取込ステップと、気象予報情報取込ステップで取り込まれた気象予報情報と、資源データベース１１に登録された作業適否情報とから、作業日が栽培商品の栽培における作業に適しているかを判断する作業適否判断ステップと、作業日が作業に適していないとの判断結果を出力する作業適否出力ステップとを有する。
そして、気象予報情報取込ステップでは、作業日を含む所定日数の気象予報情報を取り込み、作業適否判断ステップでは、作業日が作業に適していないと判断すると、気象予報情報から作業日とは異なる作業候補日を抽出し、作業適否出力ステップでは、抽出した作業候補日を出力する。
また、作業適否判断ステップでは、複数の栽培商品について、それぞれの作業日が栽培商品の栽培における作業に適しているかを判断し、少なくとも一つの作業日が作業に適していないと判断すると、他の栽培商品についての作業日を含めてそれぞれの作業候補日を決定し、出力ステップでは、決定したそれぞれの作業候補日を出力する。
【００３１】
例えば図１０（ａ）に示すような大根の栽培計画があり、図１０（ｂ）に示すようなきゅうりの栽培計画がある場合に、気象予報情報取込ステップでは、図１０（ｃ）に示すように、作業日（１０月３１日）を含む所定日数（４日間）の気象予報情報を取り込む。
図１０（ｄ）はあらかじめ資源データベース１１に登録されている大根に関する天候条件による作業適否情報であり、図１０（ｅ）はあらかじめ資源データベース１１に登録されているきゅうりに関する天候条件による作業適否情報である。
気象予報情報取込ステップで取り込まれた気象予報情報では１１月１日が雨予報であり、資源データベース１１に登録された作業適否情報では大根の灌水作業では雨は不適であることから、１１月１日に大根の灌水作業は不適と判断し、作業適否出力ステップでは１１月１日の作業日が作業に適していないとの判断結果を出力する。このように、１１月１日が大根の灌水の作業に適していないと判断すると、気象予報情報から作業日とは異なる作業候補日（１１月２日）を抽出する。この時、他の栽培商品であるきゅうりについて１１月２日は作業がないため、図１０（ｆ）に示すように、大根の灌水の作業候補日として１１月２日を決定し、作業適否出力ステップでは、決定した作業候補日である１１月２日に大根の灌水作業候補日として出力する。
【００３２】
このように、作業に適さない作業日を、気象予報情報を基に出力することで、気象条件によっては作業が不適切な作業日を回避できるため、ＧＡＰ規定に反する作業が行われることを未然に防止できる。
そして、作業適否出力ステップで作業候補日を出力することで、作業の変更日を決めやすい。
また、多くの中小規模における農業生産現場では、複数の栽培商品を栽培することが常であることから、作業適否判断ステップでは、複数の栽培商品について、それぞれの作業日が栽培商品の栽培における作業に適しているかを判断し、少なくとも一つの作業日が作業に適していないと判断すると、他の栽培商品についての作業日を含めてそれぞれの作業候補日を決定することは極めて効果的である。
【００３３】
また、図１０（ｇ）に示すように、資源データベース１１には、保有する農機具の使用条件情報が登録されており、サーバーは、作業指示情報を作成する際には、資源データベース１１に登録された使用条件情報から、作業日に農機具を使用できるかを判断する農機具使用判断ステップと、作業日が農機具を使用できないとの判断結果を出力する農機具使用出力ステップとを有することが好ましい。農機具使用判断ステップを有することで、農機具の使用条件によっては作業が不適切な作業日を回避できるため、ＧＡＰ規定に従った作業を行いやすい。
【００３４】
また、図１０（ｈ）に示すように、資源データベース１１には、行える作業又は農機具操作資格とともに作業要員の作業要員情報が登録されており、サーバーは、作業指示情報を作成する際には、資源データベース１１に登録された作業要員情報から、作業日に作業要員を配置できるかを判断する作業要員配置判断ステップと、作業日が作業要員を配置できないとの判断結果を出力する作業要員配置出力ステップとを有することが好ましい。作業要員配置判断ステップを有することで、的確な作業要員を配置できるため、ＧＡＰ規定に従った作業を確実に行うことができる。
【００３５】
図１１は、作業指示ステップで出力される作業指示書のイメージ図である。
図１１に示すように、作業指示情報とともに、ＧＡＰ作業基準で規定されている確認事項を出力する。なお、ここで出力する確認事項は、この作業指示書で特定されている、栽培商品についての特定の作業に関するものである。
【００３６】
図１２は実作業登録ステップで入力に用いられる画面イメージ図である。
図１２に示すように、例えば、天気欄８８、最高気温欄８９、最低気温欄９０、作業時間欄９１、農薬使用量欄９２、及び農薬散布量欄９３については、作業指示に基づき実施した作業内容を修正登録する。
【００３７】
図１３及び図１４は作業登録ステップで登録された作業実施内容の確認に用いられる画面イメージ図である。
図１３（ａ）のように栽培計画を指示することで栽培計画ステップ１での登録内容を、図１３（ｂ）のように作業指示を指示することで作業指示ステップ２での登録内容を、図１３（ｃ）のように作業日報を指示することで実作業登録ステップ３での登録内容を出力表示することができる。
また、図１４のように、作業指示が農薬や肥料の散布である場合には、詳細な栽培履歴情報を出力表示し、農薬適正使用基準情報を合わせて出力表示することができる。
【００３８】
図１５から図１７は、ＧＡＰ作業チェックステップで用いられる画面イメージ図である。
ＧＡＰ作業チェックステップ４では、図１５に示すように作業計画と作業報告とを出力表示し、図１６に示すように機器一覧を出力表示し、図１７に示すように資源管理情報を出力表示することができる。
【産業上の利用可能性】
【００３９】
本発明のＧＡＰ作業支援方法によれば、作業が不適切な作業日を回避できるため、ＧＡＰ規定に反する作業が行われることを未然に防止できる。
【符号の説明】
【００４０】
１１  資源データベース
１２  栽培計画データベース
１３  ＧＡＰ規定データベース
１４  気象予報情報データベース
１５  作業指示データベース
１６  作業日報データベース
２１  検索
２２  栽培計画情報
２３  計画コピー
２４  ＧＡＰチェック
２５  新規登録
２６  商品欄の参照
２７  商品検索画面
２８  圃場住所の参照
２９  圃場検索画面
８０  年間作業スケジュール画面
８１  作業指示
８２  特定の作業名（防除）
８３  作業指示情報画面
８４  参照
８５  農薬適用情報画面
８６  月間作業スケジュール画面
８７  特定の作業日
８８  天気欄
８９  最高気温欄
９０  最低気温欄
９１  作業時間欄
９２  農薬使用量欄
９３  農薬散布量欄
【図１】
2019125302.tif 000003
【図２】
2019125302.tif 000004
【図３】
2019125302.tif 000005
【図４】
2019125302.tif 000006
【図５】
2019125302.tif 000007
【図６】
2019125302.tif 000008
【図７】
2019125302.tif 000009
【図８】
2019125302.tif 000010
【図９】
2019125302.tif 000011
【図１０】
2019125302.tif 000012
【図１１】
2019125302.tif 000013
【図１２】
2019125302.tif 000014
【図１３】
2019125302.tif 000015
【図１４】
2019125302.tif 000016
【図１５】
2019125302.tif 000017
【図１６】
2019125302.tif 000018
【図１７】
2019125302.tif 000019